(57)【特許請求の範囲】
【請求項１】
コンクリート躯体内に埋設される、中空筒状の本体筒部を備えるスリーブであって、
前記スリーブの前記本体筒部と、そのスリーブと互いに隣り合うように設置される同一の形状の他のスリーブが備える他の本体筒部とが、所定の間隔をおいて平行に並ぶように、前記スリーブと前記他のスリーブとの位置合わせをするための、位置合わせ手段を構成する、位置合わせ部を備え、
前記位置合わせ部は、前記本体筒部の軸方向に離れて位置する軸方向の一端部および他端部の２箇所に、前記本体筒部の周壁の外方に突出するように設けられ、
前記一端部に設けられる位置合わせ部は、鍔状に張り出して外形が正面視略八角形状となるよう形成された張出部からなるとともに、その略八角形状の各辺は、上下および左右の四方の各辺が同一長さに形成され、斜めの四方の各辺が同一長さに形成され、かつ、上下および左右の四方の辺が、斜めの四方の辺よりも長くなるよう形成され、
前記張出部からなる位置合わせ部の、突出する方向の端面となる前記略八角形状の各辺部に、前記位置合わせ手段を構成する、前記他のスリーブが備える他の張出部からなる他の位置合わせ部の、突出する方向の端面となる略八角形状の各辺部に形成された被当接面と、互いに面接触する当接面が形成され、
前記他端部に設けられる位置合わせ部の、突出する方向の端面には、その他端部に設けられる位置合わせ部に対応して、前記他の本体筒部の周壁の外方に突出するように設けられて、前記位置合わせ手段を構成する、前記他のスリーブが備える他の位置合わせ部の、突出する方向の端面に形成された被当接面と、互いに面接触する当接面が形成されている、スリーブ。
【請求項２】
前記本体筒部は、前記軸方向の一方側にベルマウス部を有するとともに、前記軸方向の他方側に、前記ベルマウス部と連通する、管体が接続される接続部を有し、
前記ベルマウス部は、前記張出部を有し、かつ、
前記他端部における前記位置合わせ部は、前記接続部の、前記他端部の外周面から突出するようにして設けられている、請求項１に記載のスリーブ。
【発明の詳細な説明】
【技術分野】
【０００１】
この発明は、コンクリート躯体内に埋設されるスリーブに関するものである。
【背景技術】
【０００２】
従来、ハンドホールの周壁に埋設され、管または管継手が接続される接続部を備える接続体の前記接続部を保護するために用いられる保護具があった（例えば、特許文献１参照）。ここで、図１２および図１３（ａ）、（ｂ）に示すように、接続体としてのスリーブ５１は、中空筒状の本体筒部５２からなり、その本体筒部５２は、ハンドホール５３の内側に開口するベルマウス部５２ａと、円筒状の前記接続部５２ｂとを備えていた。そして、保護具５４は、接続部５２ｂの開口側を閉塞する嵌合部５５と、ハンドホール５３の周壁５３ａを形成するための型枠（図示せず）に対して取り外し可能に保護具５４を固定するための固定部５６と、接続部５２ｂの端面に当接し、接続部５２ｂの端面と前記型枠との間に介在するフランジ部５７とを備えていた。そこで、保護具５４、５４を、フランジ部５７、５７が隣同士突き合わされるように前記型枠に固定し、さらに、それら保護具５４、５４にスリーブ５１、５１を取り付けることで、スリーブ５１、５１は、本体筒部５２、５２が所定の間隔をおいて平行に並ぶようにして（すなわち、本体筒部５２、５２間に、コンクリートが流れ込む空間が形成されるようにして）、前記型枠内に設置された。そして、前記型枠内にコンクリートが打設されることで、ハンドホール５３の周壁５３ａにスリーブ５１、５１が埋設された。
【先行技術文献】
【特許文献】
【０００３】
【特許文献１】特開２００７−３１２５７９号公報
【発明の概要】
【発明が解決しようとする課題】
【０００４】
しかしながら、前記従来の保護具を用いてのスリーブ５１の設置にあっては、型枠に固定した保護具５４、５４にスリーブ５１、５１を取り付けることで、それらスリーブ５１、５１が設置されるため、型枠を立設する前に、本体筒部５２、５２が所定の間隔をおいて平行に並ぶようにして、スリーブ５１、５１を設置することができなかった。
【０００５】
この発明は、上記した問題を解決するためになされたものであり、その目的とするところは、型枠を立設する前であっても、本体筒部が所定の間隔をおいて平行に並ぶようにして、スリーブを設置することができる、スリーブを提供することにある。
【課題を解決するための手段】
【０００６】
この発明に係るスリーブは、前記目的を達成するために、次の構成からなる。すなわち、
請求項１に記載の発明に係るスリーブは、コンクリート躯体内に埋設されるスリーブであって、中空筒状の本体筒部を備えるとともに、前記スリーブの前記本体筒部と、そのスリーブと互いに隣り合うように設置される同一の形状の他のスリーブが備える他の本体筒部とが、所定の間隔をおいて平行に並ぶように、前記スリーブと前記他のスリーブとの位置合わせをするための、位置合わせ手段を構成する、位置合わせ部を備える。ここで、前記位置合わせ部は、前記本体筒部の軸方向に離れて位置する軸方向の一端部および他端部の２箇所に、前記本体筒部の周壁の外方に突出するように設けられる。そこで、前記一端部に設けられる位置合わせ部は、鍔状に張り出して外形が正面視略八角形状となるよう形成された張出部からなるとともに、その略八角形状の各辺は、上下および左右の四方の各辺が同一長さに形成され、斜めの四方の各辺が同一長さに形成され、かつ、上下および左右の四方の辺が、斜めの四方の辺よりも長くなるよう形成される。そして、前記張出部からなる位置合わせ部の、突出する方向の端面となる前記略八角形状の各辺部に、前記位置合わせ手段を構成する、前記他のスリーブが備える他の張出部からなる他の位置合わせ部の、突出する方向の端面となる略八角形状の各辺部に形成された被当接面と、互いに面接触する当接面が形成される。また、前記他端部に設けられる位置合わせ部の、突出する方向の端面には、その他端部に設けられる位置合わせ部に対応して、前記他の本体筒部の周壁の外方に突出するように設けられて、前記位置合わせ手段を構成する、前記他のスリーブが備える他の位置合わせ部の、突出する方向の端面に形成された被当接面と、互いに面接触する当接面が形成されている。
【０００７】
このスリーブにあっては、本体筒部の軸方向の一端部および他端部の２箇所に設けられる位置合わせ部のうちの一端部に設けられる位置合わせ部は、鍔状に張り出して外形が正面視略八角形状となるよう形成された張出部からなるとともに、その略八角形状の各辺は、上下および左右の四方の辺が、斜めの四方の辺よりも長くなるよう形成される。そして、その張出部からなる位置合わせ部の、突出する方向の端面となる前記略八角形状の各辺部に、同一の形状の他のスリーブにおける他の張出部からなる他の位置合わせ部の、突出する方向の端面となる略八角形状の各辺部に形成された被当接面と、互いに面接触する当接面が形成される。そして、本体筒部の軸方向の他端部に設けられる位置合わせ部の、突出する方向の端面に、他のスリーブが備える他の位置合わせ部の、突出する方向の端面に形成された被当接面と、互いに面接触する当接面が形成されている。そこで、当接面と被当接面とが互いに面接触することで、前記スリーブが備える本体筒部と、前記他のスリーブが備える他の本体筒部とが、所定の間隔をおいて平行に並ぶように、それらスリーブと他のスリーブとの位置合わせがなされる。しかも、位置合わせ部は、本体筒部の軸方向に離れて位置する２箇所に設けられるので、より確実に、スリーブと他のスリーブとの位置合わせがなされる。そして、位置合わせがなされたスリーブおよび他のスリーブは、例えば、コンクリート躯体内に埋設するために組まれた鉄筋等に固定され、その後、コンクリート躯体を形成するための型枠が立設される。
【０００８】
【０００９】
また、請求項２に記載の発明に係るスリーブは、請求項１に記載のスリーブにおいて、前記本体筒部は、前記軸方向の一方側にベルマウス部を有するとともに、前記軸方向の他方側に、前記ベルマウス部と連通する、管体が接続される接続部を有する。そして、前記ベルマウス部は、前記張出部を有し、かつ、前記他端部における前記位置合わせ部は、前記接続部の、前記他端部の外周面から突出するようにして設けられている。
【００１０】
【００１１】
【００１２】
【発明の効果】
【００１３】
この発明に係るスリーブによれば、外形が正面視略八角形状となる張出部からなって本体筒部の軸方向の一端部に設けられる位置合わせ部の当接面と、他の位置合わせ部の被当接面とが互いに面接触し、さらに、本体筒部の軸方向の他端部に設けられる位置合わせ部の当接面と、他の位置合わせ部の被当接面とが互いに面接触することで、互いに隣り合うように設置されるスリーブおよび他のスリーブにおける、本体筒部と他の本体筒部とが、所定の間隔をおいて平行に並ぶように、それらスリーブと他のスリーブとの位置合わせがなされる。そして、位置合わせがなされたスリーブおよび他のスリーブは、例えば、コンクリート躯体内に埋設するために組まれた鉄筋等に固定され、その後、コンクリート躯体を形成するための型枠が立設される。したがって、このスリーブは、型枠を立設する前であっても、本体筒部が所定の間隔をおいて平行に並ぶようにして、設置することができる。
【００１４】
【図面の簡単な説明】
【００１５】
【図１】この発明の一実施の形態のスリーブの、正面側から見た斜視図である。
【図２】同じく、背面側から見た斜視図である。
【図３】同じく、図１におけるＡ−Ａ線による断面図である。
【図４】同じく、スリーブ設置構造の、正面側から見た斜視図である。
【図５】同じく、背面側から見た斜視図である。
【図６】同じく、平面図である。
【図７】同じく、スリーブ設置構造の変形例の、正面側から見た斜視図である。
【図８】同じく、背面側から見た斜視図である。
【図９】この発明の他の実施の形態（参考形態）のスリーブの、正面側から見た斜視図である。
【図１０】同じく、スリーブ設置構造の、正面側から見た斜視図である。
【図１１】この発明のさらに他の実施の形態（参考形態）のスリーブ設置構造の、正面側から見た斜視図である。
【図１２】従来の保護具の外観斜視図である。
【図１３】従来の保護具の使用方法を説明する図であって、（ａ）はその保護具をハンドホールに設置した状態の断面図、（ｂ）は（ａ）を保護具側から見た図である。
【発明を実施するための形態】
【００１６】
以下、この発明に係るスリーブを実施するための形態を図面に基づいて説明する。
【００１７】
図１〜図８は、本発明の一実施の形態を示す。図中符号１は、例えば、ハンドホール等のコンクリート躯体内に埋設される、スリーブを示す。
【００１８】
このスリーブ１は、中空筒状の本体筒部２を備えるとともに、スリーブ１の本体筒部２と、そのスリーブ１と互いに隣り合うように設置される他のスリーブ１１が備える他の本体筒部１２とが、所定の間隔をおいて平行に並ぶように、スリーブ１と他のスリーブ１１との位置合わせをするための、位置合わせ手段１０を構成する、位置合わせ部３を備える。ここで、位置合わせ部３は、本体筒部２の軸方向Ｐに離れて位置する複数の箇所に、本体筒部２の周壁２ａの外方に突出するように設けられる。そして、位置合わせ部３の、突出する方向の端面３ａには、他の本体筒部１２の軸方向Ｑに離れて位置する複数の箇所に、他の本体筒部１２の周壁１２ａの外方に突出するように設けられて、位置合わせ手段１０を構成する、他のスリーブ１１が備える他の位置合わせ部１３の、突出する方向の端面１３ａに形成された被当接面１４と、互いに面接触する当接面４、および、他の位置合わせ部１３の、突出する方向の端面１３ａに形成された被掛合部１５と、互いに掛かり合う掛合部５が形成されている。また、位置合わせ部３は、少なくとも本体筒部２の軸方向Ｐの一端部２ｘおよび他端部２ｙのそれぞれに設けられている。図示実施の形態においては、位置合わせ部３は、本体筒部２の軸方向Ｐの一端部２ｘおよび他端部２ｙの二箇所に設けられ、それら位置合わせ部３、３の各々の、突出する方向の端面３ａ、３ａには、前記当接面４および前記掛合部５がそれぞれ形成されている（図１〜図３参照）。
【００１９】
具体的には、本体筒部２は、軸方向Ｐの一方側（一端部２ｘ側）にベルマウス部２ｃを有するとともに、軸方向Ｐの他方側（他端部２ｙ側）に、ベルマウス部２ｃと連通する、管体が接続される接続部２ｄを有する。図示実施の形態においては、ベルマウス部２ｃは、相対的に径小の円筒状に形成された本体部２ｅと、一端部２ｘが鍔状に張り出すように形成された張出部２ｆとを有し、その張出部２ｆが、一端部２ｘにおける位置合わせ部３ｂを形成している（図３参照）。また、接続部２ｄは、相対的に径大の円筒状に形成されており、例えば、ベルマウス部２ｃの本体部２ｅの内径と略同一の内径を有する円筒状の管体が接続される。そして、他端部２ｙにおける位置合わせ部３ｃは、本体筒部２の周壁２ａの外周面２ｂ（詳しくは、接続部２ｄの、他端部２ｙの外周面２ｇ）から突出するようにして設けられている。
【００２０】
詳細には、張出部２ｆは、その外形が正面視略八角形状となっており、張出部２ｆの左右両辺部に、縦方向に直線状に延びるようにして、また、張出部２ｆの上下両辺部に、横方向に直線状に延びるようにして、当接面４が形成されている（図１参照）。すなわち、一端部２ｘにおける位置合わせ部３ｂは、本体筒部２（詳しくは、一端部２ｘ）の周壁２ａの周方向の全体に渡って外方に突出するように設けられ、そのうちの上下および左右の四方に、当接面４がそれぞれ形成されている。一方、他端部２ｙにおける位置合わせ部３ｃは、他端部２ｙの外周面２ｇの上下および左右の四方から直状に突出するようにして設けられており、各位置合わせ部３ｃ、３ｃの、突出する方向の端面３ａ、３ａに、当接面４がそれぞれ形成されている（図２参照）。詳しくは、他端部２ｙの外周面２ｇの左右の二方から直状に突出する位置合わせ部３ｃ、３ｃには、縦方向に直線状に延びるようにして、また、他端部２ｙの外周面２ｇの上下の二方から直状に突出する位置合わせ部３ｃ、３ｃには、横方向に直線状に延びるようにして、当接面４が形成されている。このように、当接面４は、一端部２ｘにおける位置合わせ部３ｂ（張出部２ｆ）および他端部２ｙにおける位置合わせ部３ｃの、上下および左右の四方に形成されており、スリーブ１と他のスリーブ１１とは、上下または左右に互いに隣り合うように設置される（図４〜図８参照）。
【００２１】
そして、各当接面４、４の中央に、掛合部５がそれぞれ形成されている（図１および図２参照）。この掛合部５は、当接面４から窪むように形成された凹部５ａ、または、当接面４から突出するように形成された凸部５ｂからなる。そこで、凹部５ａに、他のスリーブ１１が備える他の位置合わせ部１３の被掛合部１５における、被当接面１４から突出するように形成された他の凸部１５ｂが嵌まることで、または、凸部５ｂが、他のスリーブ１１が備える他の位置合わせ部１３の被掛合部１５における、被当接面１４から窪むように形成された他の凹部１５ａに嵌まることで、掛合部５と被掛合部１５とが互いに掛かり合うこととなる（図４および図５参照）。図示実施の形態においては、正面視において、張出部２ｆの下方および左方に位置する掛合部５が、凹部５ａからなり、張出部２ｆの上方および右方に位置する掛合部５が、凸部５ｂからなる（図１参照）。
【００２２】
ここで、スリーブ１のスリーブ設置構造１００について説明する。なお、図４〜図８においては、説明の都合上、互いに隣り合うように設置された二つのスリーブのうちの、一方のスリーブには、スリーブ１と同一の符号を付し、他方のスリーブには、他のスリーブ１１と同一の符号を付す。
【００２３】
このスリーブ設置構造１００は、コンクリート躯体内に埋設される、中空筒状の本体筒部を備えるスリーブが、複数設置されてなる。ここで、互いに隣り合うように設置された二つのスリーブのうちの、一方のスリーブ１が備える一方の本体筒部２と、他方のスリーブ１１が備える他方の本体筒部１２との間には、それら一方の本体筒部２と他方の本体筒部１２とが所定の間隔をおいて平行に並ぶように、一方のスリーブ１と他方のスリーブ１１との位置合わせをするための、位置合わせ手段１０が、それら本体筒部２、１２の軸方向Ｐ、Ｑに離れて位置する複数の箇所に設けられている。そして、位置合わせ手段１０は、一方のスリーブ１が備える、一方の本体筒部２の周壁２ａの外方に突出する一方の位置合わせ部３の、突出する方向の端面３ａに形成された当接面４と、他方のスリーブ１１が備える、他方の本体筒部１２の周壁１２ａの外方に突出する他方の位置合わせ部１３の、突出する方向の端面１３ａに形成された被当接面１４とが、互いに面接触することで前記位置合わせをする、第１の位置合わせ手段、および、一方の位置合わせ部３の、突出する方向の端面３ａに形成された掛合部５と、他方の位置合わせ部１３の、突出する方向の端面１３ａに形成された被掛合部１５とが、互いに掛かり合うことで前記位置合わせをする、第２の位置合わせ手段を備えてなる。すなわち、位置合わせ手段１０を構成する、本体筒部の周壁の外方に突出する位置合わせ部が、一方のスリーブ１および他方のスリーブ１１の双方において、それらスリーブ１、１１の本体筒部２、１２の軸方向Ｐ、Ｑに離れて位置する複数の箇所に設けられている（図４〜図８参照）。図示実施の形態においては、位置合わせ手段１０は、本体筒部２、１２の軸方向Ｐ、Ｑの一端部２ｘ、１２ｘ（詳しくは、一方の本体筒部２の軸方向Ｐの一端部２ｘと、他方の本体筒部１２の軸方向Ｑの一端部１２ｘ）および他端部２ｙ、１２ｙ（詳しくは、一方の本体筒部２の軸方向Ｐの他端部２ｙと、他方の本体筒部１２の軸方向Ｑの他端部１２ｙ）の二箇所に設けられており、それら位置合わせ手段１０、１０の各々が、前記第１の位置合わせ手段と前記第２の位置合わせ手段を備えている。なお、一方の本体筒部２の軸方向Ｐと他方の本体筒部１２の軸方向Ｑとは、互いに同一の方向である。
【００２４】
そして、一方のスリーブ１および他方のスリーブ１１は、互いに同一の形状からなる。具体的には、一方のスリーブ１および他方のスリーブ１１は、図１〜図３に示すスリーブ１と同一の形状からなる。ここで、図４〜図６に示されるスリーブ設置構造１００においては、同一の形状からなるスリーブが横方向に３個並ぶように設置されているが、横方向に２個あるいは４個以上並ぶように設置されても構わない。また、同一の形状からなるスリーブが縦方向に複数並ぶように設置されても構わない。さらには、図７および図８に示されるように、同一の形状からなるスリーブが縦方向および横方向に複数並ぶように設置されても構わない（図示実施の形態においては、スリーブが縦方向に２個、横方向に３個並ぶように設置されている）。
【００２５】
次に、以上の構成からなるスリーブ１およびスリーブ設置構造１００の作用効果について説明する。このスリーブ１にあっては、複数の箇所に設けられる位置合わせ部３の、突出する方向の端面３ａに、他のスリーブ１１が備える他の位置合わせ部１３の、突出する方向の端面１３ａに形成された被当接面１４と、互いに面接触する当接面４、および、他のスリーブ１１が備える他の位置合わせ部１３の、突出する方向の端面１３ａに形成された被掛合部１５と、互いに掛かり合う掛合部５が形成されている。そして、当接面４と被当接面１４とが互いに面接触することで、および、掛合部５と被掛合部１５とが互いに掛かり合うことで、スリーブ１が備える本体筒部２と、他のスリーブ１１が備える他の本体筒部１２とが、所定の間隔をおいて平行に並ぶように（すなわち、本体筒部２と他の本体筒部１２との間に、コンクリートが流れ込む空間２０が形成されるように）、それらスリーブ１と他のスリーブ１１との位置合わせがなされる（図６参照）。しかも、位置合わせ部３は、本体筒部２の軸方向Ｐに離れて位置する複数の箇所に設けられるので、より確実に、スリーブ１と他のスリーブ１１との位置合わせがなされる。そして、位置合わせがなされたスリーブ１および他のスリーブ１１は、例えば、コンクリート躯体内に埋設するために組まれた鉄筋２１等に例えば線材等を用いて固定され、その後、コンクリート躯体を形成するための型枠（図示せず）が立設される（図４〜図８参照）。したがって、このスリーブ１は、型枠を立設する前であっても、本体筒部２、１２が所定の間隔をおいて平行に並ぶようにして、設置することができる。
【００２６】
しかも、当接面４と被当接面１４とが互いに面接触することにより、スリーブ１と他のスリーブ１１との位置合わせがなされた状態が安定して保持されるとともに、掛合部５と被掛合部１５とが互いに掛かり合うことにより、スリーブ１と他のスリーブ１１とのずれ（図示実施の形態においては、当接面４が延びる方向のずれ）が防止される。また、位置合わせ部３は、少なくとも本体筒部２の軸方向Ｐの一端部２ｘおよび他端部２ｙのそれぞれに設けられている（図示実施の形態においては、位置合わせ部３は、本体筒部２の軸方向Ｐの一端部２ｘおよび他端部２ｙの二箇所に設けられている）ため、本体筒部２の軸方向Ｐの一端部２ｘ側および他端部２ｙ側のいずれの側においても、スリーブ１、１１の位置合わせを容易に行うことができる。
【００２７】
また、このスリーブ設置構造１００にあっては、位置合わせ手段１０は、一方のスリーブ１が備える一方の位置合わせ部３の、突出する方向の端面３ａに形成された当接面４と、他方のスリーブ１１が備える他方の位置合わせ部１３の、突出する方向の端面１３ａに形成された被当接面１４とが、互いに面接触する、第１の位置合わせ手段、および、一方のスリーブ１が備える一方の位置合わせ部３の、突出する方向の端面３ａに形成された掛合部５と、他方のスリーブ１１が備える他方の位置合わせ部１３の、突出する方向の端面１３ａに形成された被掛合部１５とが、互いに掛かり合う、第２の位置合わせ手段を備えてなる。そして、この位置合わせ手段１０によって、一方の本体筒部２と他方の本体筒部１２とが所定の間隔をおいて平行に並ぶように（すなわち、一方の本体筒部２と他方の本体筒部１２との間に、コンクリートが流れ込む空間２０が形成されるように）、それら一方のスリーブ１と他方のスリーブ１１との位置合わせがなされる（図６参照）。しかも、位置合わせ手段１０は、それらスリーブ１、１１の本体筒部２、１２の軸方向Ｐ、Ｑに離れて位置する複数の箇所に設けられるので、より確実に、一方のスリーブ１と他方のスリーブ１１との位置合わせがなされる。そして、位置合わせがなされた一方のスリーブ１および他方のスリーブ１１は、例えば、コンクリート躯体内に埋設するために組まれた鉄筋２１等に例えば線材等を用いて固定され、その後、コンクリート躯体を形成するための型枠（図示せず）が立設される（図４〜図８参照）。したがって、このスリーブ設置構造１００にあっては、型枠を立設する前であっても、本体筒部２、１２が所定の間隔をおいて平行に並ぶようにして、スリーブ（一方のスリーブ１および他方のスリーブ１１）を設置することができる。また、位置合わせ手段１０は、本体筒部２、１２の軸方向Ｐ、Ｑの一端部２ｘ、１２ｘおよび他端部２ｙ、１２ｙの二箇所に設けられているため、本体筒部２、１２の軸方向Ｐ、Ｑの一端部２ｘ、１２ｘ側および他端部２ｙ、１２ｙ側のいずれの側においても、スリーブ１、１１の位置合わせを容易に行うことができる。
【００２８】
なお、本発明は、上述した実施の形態に限定されるわけではなく、その他種々の変更が可能である。例えば、スリーブ１における位置合わせ部３が設けられる複数の箇所は、本体筒部２の軸方向Ｐの一端部２ｘおよび他端部２ｙの二箇所でなくてもよく、一端部２ｘまたは他端部２ｙと、それ以外の箇所からなる、二箇所であってもよいし、一端部２ｘおよび他端部２ｙ以外の二箇所であってもよい。さらには、前記複数の箇所は、一端部２ｘおよび他端部２ｙと、それ以外の一あるいは複数の箇所からなる、三以上の箇所とか、一端部２ｘまたは他端部２ｙと、それ以外の複数の箇所からなる、三以上の箇所であってもよいし、一端部２ｘおよび他端部２ｙ以外の三以上の箇所であってもよい。同様に、スリーブ設置構造１００における位置合わせ手段１０が設けられる複数の箇所は、本体筒部２、１２の軸方向Ｐ、Ｑの一端部２ｘ、１２ｘまたは他端部２ｙ、１２ｙと、それ以外の箇所からなる、二箇所であってもよいし、一端部２ｘ、１２ｘおよび他端部２ｙ、１２ｙ以外の二箇所であってもよい。さらには、前記複数の箇所は、一端部２ｘ、１２ｘおよび他端部２ｙ、１２ｙと、それ以外の一あるいは複数の箇所からなる、三以上の箇所とか、一端部２ｘ、１２ｘまたは他端部２ｙ、１２ｙと、それ以外の複数の箇所からなる、三以上の箇所であってもよいし、一端部２ｘ、１２ｘおよび他端部２ｙ、１２ｙ以外の三以上の箇所であってもよい。
【００２９】
また、本体筒部２（詳しくは、ベルマウス部２ｃの本体部２ｅおよび接続部２ｄ）は、円筒状に形成されていなくてもよく、多角筒状に形成されていてもよい。また、本体筒部２は、ベルマウス部２ｃと接続部２ｄとを有する構成でなくてもよく、中空筒状に形成されるものであれば、特に限定されない。また、張出部２ｆは、鍔状に張り出すように形成されていなくてもよく、本体筒部２の周壁２ａの周方向における、任意の一箇所あるいは複数の箇所において、外方に張り出すように形成されてもよい。
【００３０】
図９および図１０は、この発明の他の実施の形態（参考形態）を示す。この実施の形態においては、図１〜図８に示す実施の形態とは、位置合わせ手段１０および位置合わせ部３の構成が異なるが、他はほぼ同様であり、以下に、異なる部分を主に説明する。
【００３１】
このスリーブ１にあっては、位置合わせ部３の、突出する方向の端面３ａには、他のスリーブ１１が備える他の本体筒部１２の周壁１２ａの外周面１２ｂと互いに面接触する筒部当接面６が形成されている。図示実施の形態においては、位置合わせ部３は、本体筒部２の軸方向Ｐの一端部２ｘおよび他端部２ｙの二箇所に設けられ、それら位置合わせ部３、３の各々の、突出する方向の端面３ａ、３ａには、前記筒部当接面６がそれぞれ形成されている。
【００３２】
具体的には、本体筒部２は、軸方向Ｐの一方側（一端部２ｘ側）にベルマウス部２ｃを有するとともに、軸方向Ｐの他方側（他端部２ｙ側）に、ベルマウス部２ｃと連通する、管体が接続される接続部２ｄを有する。そして、ベルマウス部２ｃは、一端部２ｘが鍔状に張り出すように形成された張出部２ｆを有し、その張出部２ｆが、一端部２ｘにおける位置合わせ部３ｂを形成している（図９参照）。詳細には、張出部２ｆは、その外形が正面視略八角形状となっており、張出部２ｆの左右両辺部および上下両辺部に、内向きに円弧状に湾曲するようにして、筒部当接面６が形成されている（図９参照）。すなわち、一端部２ｘにおける位置合わせ部３ｂは、本体筒部２（詳しくは、一端部２ｘ）の周壁２ａの周方向の全体に渡って外方に突出するように設けられ、そのうちの上下および左右の四方に、筒部当接面６がそれぞれ形成されている。一方、他端部２ｙにおける位置合わせ部３ｃは、他端部２ｙの外周面２ｇの上下および左右の四方から直状に突出するようにして設けられており、各位置合わせ部３ｃの、突出する方向の端面３ａ、３ａに、その端面３ａ、３ａが内向きに円弧状に湾曲するようにして、筒部当接面６がそれぞれ形成されている。このように、当接面４は、一端部２ｘにおける位置合わせ部３ｂ（張出部２ｆ）および他端部２ｙにおける位置合わせ部３ｃの、上下および左右の四方に形成されており、スリーブ１と他のスリーブ１１とは、上下または左右に互いに隣り合うように設置される（図１０参照）。
【００３３】
また、このスリーブ設置構造１００にあっては、位置合わせ手段１０は、一方のスリーブ１が備える一方の位置合わせ部３の、突出する方向の端面３ａに形成された一方の筒部当接面６と、他方のスリーブ１１が備える他方の本体筒部１２の周壁１２ａの外周面１２ｂとが、互いに面接触することで前記位置合わせをする、第３の位置合わせ手段を備えてなる。すなわち、位置合わせ手段１０を構成する、本体筒部の周壁の外方に突出する位置合わせ部が、一方のスリーブ１において、その本体筒部２の軸方向Ｐに離れて位置する複数の箇所に設けられている（図１０参照）。図示実施の形態においては、位置合わせ手段１０は、本体筒部２、１２の軸方向Ｐ、Ｑの一端部２ｘ、１２ｘ（詳しくは、一方の本体筒部２の軸方向Ｐの一端部２ｘと、他方の本体筒部１２の軸方向Ｑの一端部１２ｘ）および他端部２ｙ、１２ｙ（詳しくは、一方の本体筒部２の軸方向Ｐの他端部２ｙと、他方の本体筒部１２の軸方向Ｑの他端部１２ｙ）の二箇所に設けられており、それら位置合わせ手段１０、１０の各々が、前記第３の位置合わせ手段を備えている。そして、位置合わせ部３を備える一方のスリーブ１と、位置合わせ部を備えない他方のスリーブ１１とが、交互に並ぶようにして、それらスリーブ１、１１が設置されている（すなわち、一方のスリーブ１と他方のスリーブ１１とは、互いに異なる形状からなる）。具体的には、一方のスリーブ１は、図９に示すスリーブ１と同一の形状からなり、他方のスリーブ１１は、図９に示すスリーブ１とは異なる形状からなる。なお、図１０に示されるスリーブ設置構造１００においては、スリーブが横方向に３個並ぶように設置されているが、横方向に２個あるいは４個以上並ぶように設置されたり、あるいは、スリーブが縦方向に複数並ぶように設置されたり、もしくは、スリーブが縦方向および横方向に複数並ぶように設置されても構わない。
【００３４】
そして、このスリーブ１にあっては、筒部当接面６と他の本体筒部１２の周壁１２ａの外周面１２ｂとが互いに面接触することで、スリーブ１が備える本体筒部２と、他のスリーブ１１が備える他の本体筒部１２とが、所定の間隔をおいて平行に並ぶように（すなわち、本体筒部２と他の本体筒部１２との間に、コンクリートが流れ込む空間が形成されるように）、それらスリーブ１と他のスリーブ１１との位置合わせがなされる。また、このスリーブ設置構造１００にあっては、一方のスリーブ１が備える一方の位置合わせ部３の、突出する方向の端面３ａに形成された一方の筒部当接面６と、他方のスリーブ１１が備える他方の本体筒部１２の周壁１２ａの外周面１２ｂとが、互いに面接触する、第３の位置合わせ手段を備えてなる、位置合わせ手段１０によって、一方の本体筒部２と他方の本体筒部１２とが所定の間隔をおいて平行に並ぶように（すなわち、一方の本体筒部２と他方の本体筒部１２との間に、コンクリートが流れ込む空間が形成されるように）、それら一方のスリーブ１と他方のスリーブ１１との位置合わせがなされる。
【００３５】
なお、図１０に示されるスリーブ設置構造１００にあっては、スリーブ１を他方のスリーブとみなし、スリーブ１１を一方のスリーブとみなした場合には、位置合わせ手段１０は、他方のスリーブが備える他方の位置合わせ部の、突出する方向の端面に形成された他方の筒部当接面と、一方のスリーブが備える一方の本体筒部の周壁の外周面とが、互いに面接触することで前記位置合わせをする、第４の位置合わせ手段を備えてなる（すなわち、位置合わせ手段１０を構成する、本体筒部の周壁の外方に突出する位置合わせ部が、他方のスリーブにおいて、その他方の本体筒部の軸方向に離れて位置する複数の箇所に設けられている）こととなる。この場合においても、その第４の位置合わせ手段を備えてなる位置合わせ手段１０によって、一方の本体筒部と他方の本体筒部とが所定の間隔をおいて平行に並ぶように（すなわち、一方の本体筒部と他方の本体筒部との間に、コンクリートが流れ込む空間が形成されるように）、それら一方のスリーブと他方のスリーブとの位置合わせがなされる。
【００３６】
図１１は、この発明のさらに他の実施の形態（参考形態）の、スリーブ設置構造を示す。このスリーブ設置構造においては、図１０に示すスリーブ設置構造とは、位置合わせ手段１０および位置合わせ部３の構成が異なるが、他はほぼ同様であり、以下に、異なる部分を主に説明する。
【００３７】
このスリーブ設置構造にあっては、位置合わせ手段１０は、一方のスリーブ１が備える一方の位置合わせ部３の、突出する方向の端面３ａに形成された一方の筒部当接面６と、他方のスリーブ１１が備える他方の本体筒部１２の周壁１２ａの外周面１２ｂとが、互いに面接触することで前記位置合わせをする、第３の位置合わせ手段、または、他方のスリーブ１１が備える他方の位置合わせ部１３の、突出する方向の端面１３ａに形成された他方の筒部当接面１６と、一方のスリーブ１が備える一方の本体筒部２の周壁２ａの外周面２ｂとが、互いに面接触することで前記位置合わせをする、第４の位置合わせ手段を備えてなる。詳細には、位置合わせ手段１０は、本体筒部２、１２の軸方向Ｐ、Ｑの一端部２ｘ、１２ｘ（詳しくは、一方の本体筒部２の軸方向Ｐの一端部２ｘと、他方の本体筒部１２の軸方向Ｑの一端部１２ｘ）および他端部２ｙ、１２ｙ（詳しくは、一方の本体筒部２の軸方向Ｐの他端部２ｙと、他方の本体筒部１２の軸方向Ｑの他端部１２ｙ）の二箇所に設けられている。そして、一端部２ｘ、１２ｘにおける位置合わせ手段１０が、前記第３の位置合わせ手段を備え、他端部２ｙ、１２ｙにおける位置合わせ手段１０が、前記第４の位置合わせ手段を備えている。すなわち、位置合わせ手段１０を構成する、本体筒部の周壁の外方に突出する位置合わせ部が、一方のスリーブ１および他方のスリーブ１１の双方に一つずつ設けられ、かつ、互いの位置合わせ部（一方の位置合わせ部３および他方の位置合わせ部１３）が、それらスリーブ１、１１の本体筒部２、１２の軸方向Ｐ、Ｑに離れて位置する（図１１参照）。そして、一方の位置合わせ部３を備える一方のスリーブ１と、他方の位置合わせ部１３を備える他方のスリーブ１１とが、交互に並ぶようにして、それらスリーブ１、１１が設置されている（すなわち、一方のスリーブ１と他方のスリーブ１１とは、互いに異なる形状からなる）。なお、図１１に示されるスリーブ設置構造１００においては、スリーブが横方向に３個並ぶように設置されているが、横方向に２個あるいは４個以上並ぶように設置されたり、あるいは、スリーブが縦方向に複数並ぶように設置されたり、もしくは、スリーブが縦方向および横方向に複数並ぶように設置されても構わない。
【００３８】
そして、このスリーブ設置構造１００にあっては、一方のスリーブ１が備える一方の位置合わせ部３の、突出する方向の端面３ａに形成された一方の筒部当接面６と、他方のスリーブ１１が備える他方の本体筒部１２の周壁１２ａの外周面１２ｂとが、互いに面接触する、第３の位置合わせ手段、または、他方のスリーブ１１が備える他方の位置合わせ部１３の、突出する方向の端面１３ａに形成された他方の筒部当接面１６と、一方のスリーブ１が備える一方の本体筒部２の周壁２ａの外周面２ｂとが、互いに面接触する、第４の位置合わせ手段を備えてなる、位置合わせ手段１０によって、一方の本体筒部２と他方の本体筒部１２とが所定の間隔をおいて平行に並ぶように（すなわち、一方の本体筒部２と他方の本体筒部１２との間に、コンクリートが流れ込む空間が形成されるように）、それら一方のスリーブ１と他方のスリーブ１１との位置合わせがなされる。
【００３９】
なお、本発明に係るスリーブ１にあっては、位置合わせ部３の、突出する方向の端面３ａには、前記当接面４（詳しくは、他のスリーブ１１が備える他の位置合わせ部１３の、突出する方向の端面１３ａに形成された被当接面１４と、互いに面接触する当接面４）、または、前記掛合部５（詳しくは、他のスリーブ１１が備える他の位置合わせ部１３の、突出する方向の端面１３ａに形成された被掛合部１５と、互いに掛かり合う掛合部５）、または、前記筒部当接面６（詳しくは、他のスリーブ１１が備える他の本体筒部１２の周壁１２ａの外周面１２ｂと互いに面接触する筒部当接面６）のうちの、少なくとも一つが形成されていればよく、そのうちの任意の二つが形成されたり、それら三つが全て形成されても構わない。すなわち、複数の箇所に設けられる位置合わせ部３、３の、突出する方向の端面３ａ、３ａの各々に、前記当接面４、または、前記掛合部５、または、前記筒部当接面６のうちの、任意の二つが形成されたり、それら三つが全て形成されても構わない。
【００４０】
ここにおいて、例えば、スリーブ１の本体筒部２（詳しくは、ベルマウス部２ｃ）に、図１〜図３に示す実施の形態の張出部２ｆ（詳しくは、左右両辺部および上下両辺部に当接面４が形成され、かつ、その当接面４に掛合部５が形成されている、張出部２ｆ）と、図９に示す実施の形態の張出部２ｆ（詳しくは、左右両辺部および上下両辺部に筒部当接面６が形成されている、張出部２ｆ）とが、本体筒部２の軸方向Ｐに沿って互いに隣接するようにして、一体形成されている場合には、位置合わせ部３（詳しくは、一端部２ｘにおける位置合わせ部３ｂ）には、前記当接面４、前記掛合部５、および前記筒部当接面６の三つが形成されることとなる。
【００４１】
また、複数の箇所に設けられる位置合わせ部３、３の構成が、既述した実施の形態に示される組み合わせと異なっていてもよく、例えば、一端部２ｘにおける位置合わせ部３ｂの、突出する方向の端面３ａには、前記当接面４が形成され、他端部２ｙにおける位置合わせ部３ｃの、突出する方向の端面３ａには、前記筒部当接面６が形成されても構わない。
【００４２】
同様に、本発明に係るスリーブ設置構造１００にあっては、位置合わせ手段１０は、前記第１の位置合わせ手段（詳しくは、一方のスリーブ１が備える一方の位置合わせ部３の、突出する方向の端面３ａに形成された当接面４と、他方のスリーブ１１が備える他方の位置合わせ部１３の、突出する方向の端面１３ａに形成された被当接面１４とが、互いに面接触することで前記位置合わせをする、第１の位置合わせ手段）、または、前記第２の位置合わせ手段（詳しくは、一方のスリーブ１が備える一方の位置合わせ部３の、突出する方向の端面３ａに形成された掛合部５と、他方のスリーブ１１が備える他方の位置合わせ部１３の、突出する方向の端面１３ａに形成された被掛合部１５とが、互いに掛かり合うことで前記位置合わせをする、第２の位置合わせ手段）、または、前記第３の位置合わせ手段（詳しくは、一方のスリーブ１が備える一方の位置合わせ部３の、突出する方向の端面３ａに形成された一方の筒部当接面６と、他方のスリーブ１１が備える他方の本体筒部１２の周壁１２ａの外周面１２ｂとが、互いに面接触することで前記位置合わせをする、第３の位置合わせ手段）、または、前記第４の位置合わせ手段（詳しくは、他方のスリーブ１１が備える他方の位置合わせ部１３の、突出する方向の端面１３ａに形成された他方の筒部当接面１６と、一方のスリーブ１が備える一方の本体筒部２の周壁２ａの外周面２ｂとが、互いに面接触することで前記位置合わせをする、第４の位置合わせ手段）、のうちの、少なくとも一つ以上を備えていればよく、そのうちの任意の二つとか三つを備えたり、それら四つの全てを備えていても構わない。すなわち、複数の箇所に設けられる位置合わせ手段１０、１０の各々が、前記第１の位置合わせ手段、または、前記第２の位置合わせ手段、または、前記第３の位置合わせ手段、または、前記第４の位置合わせ手段のうちの、任意の二つとか三つを備えたり、それら四つの全てを備えていても構わない。
【００４３】
ここにおいて、例えば、図４〜図８に示す実施の形態において、参考として、本体筒部２、１２の軸方向Ｐ、Ｑの一端部２ｘ、１２ｘにおける、一方の位置合わせ部３および他方の位置合わせ部１３が、本体筒部２、１２の軸方向Ｐ、Ｑのやや中央寄りに設けられるとともに、前記一方の位置合わせ部３の前方側に、図１１に示す実施の形態の一方の位置合わせ部３（詳しくは、左右両辺部および上下両辺部に一方の筒部当接面６が形成されている、一方の位置合わせ部３）が隣接するようにして、両者が一体形成され、かつ、前記他方の位置合わせ部１３の後方側に、図１１に示す実施の形態の他方の位置合わせ部１３（詳しくは、他端部１２ｙの外周面の上下および左右の四方から突出し、その突出する方向の端面１３ａに他方の筒部当接面１６が形成されている、他方の位置合わせ部１３）が隣接するようにして、両者が一体形成されている場合（換言すると、図４〜図８に示す実施の形態の、前記一端部２ｘ、１２ｘにおける、一方の位置合わせ部３および他方の位置合わせ部１３が、図１１に示す実施の形態の一方の位置合わせ部３と他方の位置合わせ部１３とで挟まれるようにして、それら位置合わせ部３、１３が配設されている場合）には、それら位置合わせ部３、１３によって構成される位置合わせ手段１０は、前記第１の位置合わせ手段、前記第２の位置合わせ手段、前記第３の位置合わせ手段、および前記第４の位置合わせ手段の、四つを備えることとなる。
【００４４】
また、複数の箇所に設けられる位置合わせ手段１０、１０の構成が、既述した実施の形態に示される組み合わせと異なっていてもよく、参考として、例えば、本体筒部２、１２の軸方向Ｐ、Ｑの一端部２ｘ、１２ｘにおける位置合わせ手段が、前記第１の位置合わせ手段または／および前記第２の位置合わせ手段を備え、本体筒部２、１２の軸方向Ｐ、Ｑの他端部２ｙ、１２ｙにおける位置合わせ手段１０が、前記第３の位置合わせ手段または前記第４の位置合わせ手段を備えていても構わない。
【００４５】
また、スリーブ設置構造１００にあっては、縦方向または／および横方向に複数並ぶように設置されていなくてもよく、斜め方向に複数並ぶように設置されてもよい。ここで、スリーブ１における当接面４または／および筒部当接面６は、上下および左右の四方に形成されていなくてもよく、例えば、斜め方向における四方に形成されてもよい。
【００４６】
また、スリーブ１にあっては、当接面４または／および筒部当接面６は、位置合わせ部３（一端部２ｘにおける位置合わせ部３ｂおよび他端部２ｙにおける位置合わせ部３ｃ）の、上下の二方、左右の二方、または、斜めの二方に形成されてもよいし、上下左右および斜めのうちの任意の二方あるいは一方に形成されても構わない。
【００４７】
また、当接面４および被当接面１４は、直線状に延びるように形成されていなくてもよく、湾曲または屈曲して延びるように形成されてもよい。また、筒部当接面６（一方の筒部当接面６）および他方の筒部当接面１６は、隣り合うスリーブの本体筒部が多角筒状に形成されている場合には、直線状に延びるように形成されたり、屈曲して延びるように形成されてもよい。
【符号の説明】
【００４８】
１      スリーブ（一方のスリーブ）
２      本体筒部（一方の本体筒部）
２ａ    本体筒部（一方の本体筒部）の周壁
２ｂ    本体筒部（一方の本体筒部）の周壁の外周面
２ｃ    ベルマウス部
２ｄ    接続部
２ｆ    張出部
２ｇ    本体筒部の軸方向の他端部の外周面
２ｘ    本体筒部の軸方向の一端部
２ｙ    本体筒部の軸方向の他端部
３      位置合わせ部（一方の位置合わせ部）
３ａ    位置合わせ部（一方の位置合わせ部）の、突出する方向の端面
３ｂ    一端部における位置合わせ部
３ｃ    他端部における位置合わせ部
４      当接面
５      掛合部
６      筒部当接面（一方の筒部当接面）
１０    位置合わせ手段
１１    他のスリーブ（他方のスリーブ）
１２    他の本体筒部（他方の本体筒部）
１２ａ  他の本体筒部（他方の本体筒部）の周壁
１２ｂ  他の本体筒部（他方の本体筒部）の周壁の外周面
１３    他の位置合わせ部（他方の位置合わせ部）
１３ａ  他の位置合わせ部（他方の位置合わせ部）の、突出する方向の端面
１４    被当接面
１５    被掛合部
１６    他方の筒部当接面
１００  スリーブ設置構造
Ｐ      本体筒部（一方の本体筒部）の軸方向
Ｑ      他の本体筒部（他方の本体筒部）の軸方向
【図１】
0005854648.tif 000002
【図２】
0005854648.tif 000003
【図３】
0005854648.tif 000004
【図４】
0005854648.tif 000005
【図５】
0005854648.tif 000006
【図６】
0005854648.tif 000007
【図７】
0005854648.tif 000008
【図８】
0005854648.tif 000009
【図９】
0005854648.tif 000010
【図１０】
0005854648.tif 000011
【図１１】
0005854648.tif 000012
【図１２】
0005854648.tif 000013
【図１３】
0005854648.tif 000014